(57)【要約】【課題】  浮蓋の容器底部への張り付きを防止し、詰め替え作業に際しては浮蓋を変形や破損することなく取り外し、繰り返し使用できる容器を提供すること。【解決手段】  浮蓋に設けた形成片をバネ部を介して９０度上方向へ稼動させ、付着力と撓み反発のバランス調整により、浮蓋の容器底部への貼り付きを防止する構成にした。【選択図】図１
2008189380.tif 000002
【特許請求の範囲】
【請求項１】
クリーム状内容物（１２）を収納するボトル部（６）と、キャップ（３）からなる容器本体（１１）であって、
前記ボトル部（６）は上部開放形であり、その上部にはキャップ（３）が設けられており、
前記キャップ（３）には、ボトル部（６）に収容したクリーム状内容物（１２）を吸い上げ、外部に供出する手動式ポンプ（１）が設けられており、
その手動式ポンプ（１）には、容器本体（１１）の底部（１６）近くまで達するストロー（５）が設けられており、
そのストロー（５）には、昇降可能に挿通され、クリーム状内容物（１２）の上面に装着される浮蓋（４）が設けられており、
前記浮蓋（４）がクリーム状内容物（１２）に密着し残量変化と共に移動するポンプ付き容器において、
前記浮蓋（４）に水平方向から９０度上方への移動を可能にした形成片（１４）を備えたことを特徴とするポンプ付き容器。
【請求項２】
上記形成片（１４）を水平方向位置状態で保持するバネ部（１０）を浮蓋（４）に設けたことを特徴とする、請求項１に記載のポンプ付き容器。
【請求項３】
上記形成片（１４）の９０度上方への移動角度を設定する突起（８）を浮蓋（４）に設けたことを特徴とする、請求項１に記載のポンプ付き容器。
【請求項４】
上記形成片（１４）の９０度上方への移動角度を設定する突起（８）を容器本体（１１）の内側壁面（３０）に設けたことを特徴とする、請求項１に記載のポンプ付き容器。
【請求項５】
上記形成片（１４）の９０度上方への移動角度を設定する突起（８）を容器本体（１１）の底部（１６）に設けたことを特徴とする、請求項１に記載のポンプ付き容器。
【請求項６】
上記浮蓋（４）に中心部から垂直方向に伸びる筒状の溜まり部（７）を設けたことを特徴とする、請求項１に記載のポンプ付き容器。
【請求項７】
キャップ（４）の装着方法が嵌合式であることを特徴とする、請求項１に記載のポンプ付き容器。
【請求項８】
キャップ（４）の装着方法がネジ式であることを特徴とする、請求項１に記載のポンプ付き容器。
【発明の詳細な説明】
【技術分野】
【０００１】  本発明は、主に洗髪料等の所定量を取り出す手動式ポンプ付き容器に関し、中身の詰め替え作業を容易にするものである。
【背景技術】
【０００２】  シャンプーやリンスなど、所定量を取り出す手動式ポンプ付き容器に充填される洗髪料等のクリーム状の内容物は、高機能化で粘度を高める傾向が続いている。粘度が高まるとポンプの吸い上げ不良が問題となり、解決策として、ポンプの吸い上げ不良を防ぎ最後まで使いきる技術が開示され実用化されている。例えば、特許文献１に記載のように、浮蓋が液面に密着し吸い上げ不良を防ぐ技術が記載されている。【０００３】  また、特許文献２に記載のように、容器の底に張り付いた浮蓋を剥がし取るための方法として浮蓋に指掛け穴を設け引き剥がす方法などが開示されている。【０００４】
【特許文献１】実開昭５８−２１５７５号公報
【特許文献２】特開２０００−３３５６６６号公報
【発明の開示】
【発明が解決しようとする課題】
【０００５】  しかしながら、上記従来技術にあっては、クリーム状内容物の詰め替え作業の際に浮蓋は容器底部に位置し貼り付いている。容器本体と浮蓋との間に残っている内容物が付着力となり、貼り付いている浮蓋の取り外しが面倒で、また高粘度の内容物が充填されている場合には、きわめて強い付着力を発揮させるために、強引に引き剥がすこととなり、浮蓋の破損や変形による作動不良の原因となるなどしたことから根本的な浮蓋の張り付き防止策が求められている。【０００６】  本発明は、根本的な問題である浮蓋の張り付きを防止し、浮蓋を破損または変形させることなく取り外し、容易かつ迅速に詰め替え作業を行い、繰り返し使用できる容器を提供することを目的とする。
【課題を解決するための手段】
【０００７】上記の課題は、以下の本発明により解決することができる。即ち、請求項１に記載した発明は、クリーム状内容物（１２）を収納するボトル部（６）と、キャップ（３）からなる容器本体（１１）であって、前記ボトル部（６）は上部開放形であり、その上部にはキャップ（３）が設けられており、前記キャップ（３）には、ボトル部（６）に収容したクリーム状内容物（１２）を吸い上げ、外部に供出する手動式ポンプ（１）が設けられており、その手動式ポンプ（１）には、容器本体（１１）の底部（１６）近くまで達するストロー（５）が設けられており、そのストロー（５）には、昇降可能に挿通され、クリーム状内容物（１２）の上面に装着される浮蓋（４）が設けられており、前記浮蓋（４）がクリーム状内容物（１２）に密着し残量変化と共に移動するポンプ付き容器において、前記浮蓋（４）に水平方向から９０度上方への移動を可能にした形成片（１４）を備えたことを特徴とするポンプ付き容器からなる。【０００８】  請求項２に記載した発明は、上記形成片（１４）を水平方向位置状態で保持するバネ部（１０）を浮蓋（４）に設けたことを特徴とする、請求項１に記載のポンプ付き容器からなる。【０００９】  請求項３に記載した発明は、上記形成片（１４）の９０度上方への移動角度を設定する突起（８）を浮蓋（４）に設けたことを特徴とする、請求項１に記載のポンプ付き容器からなる。【００１０】  請求項４に記載した発明は、上記形成片（１４）の９０度上方への移動の角度を調整する突起（８）を容器本体（１１）の内側壁面（３０）に設けたことを特徴とする、請求項１に記載のポンプ付き容器からなる。【００１１】  請求項５に記載した発明は、上記形成片（１４）の９０度上方への移動角度を設定する突起（８）を容器本体（１１）の底部（１６）に設けたことを特徴とする、請求項１に記載のポンプ付き容器からなる。【００１２】  請求項６に記載した発明は、上記浮蓋（４）に中心部から垂直方向に伸びる筒状の溜まり部（７）を設けたことを特徴とする、請求項１に記載のポンプ付き容器。【００１３】  請求項７に記載した発明は、キャップ（３）の装着方法が嵌合式であることを特徴とする、請求項１に記載のポンプ付き容器。【００１４】  請求項８に記載した発明は、キャップ（３）の装着方法がネジ式であることを特徴とする、請求項１に記載のポンプ付き容器。
【発明の効果】
【００１５】  この発明にかかる容器により、従来の容器では成しえなかった浮蓋の容器底部への貼り付を防止し、浮蓋を変形や破損することなく取り外し、繰り返し使用できる容器を提供することができる。
【発明を実施するための最良の形態】
【００１６】  以下、本発明を図１乃至図７を用いて詳細に説明する。
この発明にかかるポンプ付き容器とは、手動式ポンプ（１）により、容器本体（１１）内に収容したクリーム状の内容物（１２）を、ストロー（５）を通して吸い上げて、取り出し口（２１）から取り出すものである。ここで用いるクリーム状内容物（１２）は、薬液や粘調な液体であってもよい。具体的には、リンス、コンディショナー、シャンプー等の洗髪料及び頭髪用化粧品類、クリーム（下地、美白、洗顔、クレンジングなど）等仕上げ又は皮膚用化粧品類、ハンドソープ、ボディソープ等の石鹸類、皮膚防護剤、殺菌剤、痒み止め剤等の医療用塗布剤類、糊等の事務用品類などが挙げられる。これらの中でも、使用後にクリーム状の内容物（１２）を詰め替えて補給し、使用し続けても劣化が少ない薬剤を用いると好ましい。【００１７】  本発明にかかるポンプ付き容器の構成は、以下に、図面を用いて本発明を更に具体的に説明する。但し、本発明は、その要旨を超えない限り図面に限定されるものではない。【００１８】  図１は、本発明に係るポンプ付き容器の一構成例を示す図である。この実施例ではクリーム状内容物（１２）を収納する容器本体（１１）は、ボトル部（６）と、キャップ（３）で構成され、ボトル部（６）は上部開放形であり、キャップ（３）の装着方法はネジ式である。キャップ（３）には公知構造の手動式ポンプ（１）が装着されており、その手動式ポンプ（１）には容器本体（１１）の底部（１６）近くまで達するストロー（５）が設けられている。手動式ポンプ（１）を操作することによりストロー（５）を介してクリーム状内容物（１２）を吸い上げ、取り出し口（２１）から注出するようになっている。浮蓋（４）は、ボトル部（６）の内径よりやや小径の板状片部（１５）と中心部から垂直方向に伸びる筒状の溜まり部（７）とからなり、溜まり部（７）の内径はストロー（５）の外径よりやや大きく設定され、ストロー（５）に昇降可能に挿通される。その浮蓋（４）は、クリーム状内容物（１２）の上面に装着され残量変化と共に移動する。浮蓋（４）の板状片部（１５）には形成片（１４）が設けられ、ヒンジ式連結部（９）で連結され、ヒンジ式連結部（９）にはバネ部（１０）が設けられている。また、形成片（１４）の裏面には突起（８）が設けられている。【００１９】  図２（ａ）乃至（ｃ）は、クリーム状内容物（１２）の残量変化と共に移動する浮蓋（４）の位置関係と、形成片（１４）の効果を示す断面図である。図２（ａ）に示した浮蓋（４）は、手動式ポンプ（１）を操作することによりストロー（５）を介してクリーム状内容物（１２）が吸い上げ口（１３）から吸い上げられ、取り出し口（２１）から注出されたクリーム状内容物（１２）の付着力により底部（１６）まで引き下げられ、浮蓋（４）に設けられた突起（８）は、容器本体（１１）の底部（１６）に接している。図２（ｂ）では、さらに手動式ポンプ（１）を操作しクリーム状内容物（１２）を注出させている。この操作では浮蓋（４）は、クリーム状内容物（１２）の付着力によりヒンジ式連結部（９）に設けられたバネ部（１０）が撓み、形成片（１４）が上方に押し曲げられ、浮蓋（４）の溜まり部（７）が引き下げられる。クリーム状内容物（１２）は吸い上げ口（１３）から吸い上げられ取り出し口（２１）から注出することができる。浮蓋（４）の溜まり部（７）がクリーム状内容物（１２）の付着力により引き下げられているのでくぼみ現象は発生していない。【００２０】  図２（ｃ）では、さらにポンプを操作すると浮蓋（４）はクリーム状内容物（１２）の付着力によりさらに引き下げられバネ部（１０）の撓みが大きくなる。浮蓋（４）に設けられた形成片（１４）の量先端部と容器本体（１１）の内側壁面（３０）との間の隙間（２４）が広がり空気（２０）が取り込まれる。同時にバネ部（１０）の撓みの反発力は付着力を上まわり、形成片（１４）が水平方向位置に戻る。この時、容器本体（１１）の底部（１６）に残ったクリーム状内容物（１２）は、形成片（１４）により溜まり部（７）のある中心部に押し戻され、吸い上げ口（１３）から吸上げられ、取り出し口（２１）から注出し使い切ることができる。この時点で、容器本体（１１）の底部（１６）と浮蓋（４）の間に空気の層（２５）が発生しクリーム状内容物（１２）の浮蓋（４）への付着力は失われる。使い終わった後の浮蓋（４）は容器本体（１１）の底部（１６）に貼り付いていないので容易に取り出すことができ、補充や詰め替え作業を迅速に行うことができる。【００２１】  図３、（ａ）〜（ｃ）は、図２の実施例の変形例で、浮蓋（４）に設けられていた突起（８）が容器本体（１１）の底部（１６）に設けられていることが相違点で、他の構成は同じである。この実施例では容器本体（１１）の底部（１６）に突起を設けたが、容器本体（１１）内側壁面（３０）に設けてもよい。【００２２】  図４（ａ）・（ｂ）は浮蓋（４）の底面図である。この実施例では、浮蓋（４）の両端には形成片（１４）が設けられヒンジ式連結部（９）で連結されている。ヒンジ式連結部（９）の間には、バネ部（１０）が設けられ、形成片（１４）を水平方向位置状態で保持すると共に、９０度上方への移動時に負荷をかける。バネ部（１０）の幅を図４（ａ）・（ｂ）に示したように変えることにより撓み負荷を調整することができる。また、形成片（１４）には一対の突起（８）が設けられている。【００２３】  図５、（ａ）・（ｂ）の実施例は、図４の実施例の変形例で、浮蓋（４）に設けられた突起（８）は移動式である。形成片（１４）に設けられた挟み穴（２２）に突起（８）に設けられた挟み突起（２３）が勘合し位置を決める。粘度の違いによって突起（８）の設定位置が変更できるので便利である。位置を調整することにより最後まで一定の使用感を得ることができる。【００２４】  図６、（ａ）・（ｂ）はでは、ボトル部（６）の形状は四角柱で、この容器のキャップ（３）の装着方法は嵌合式である。この実施例では、容器本体（１１）内側壁面（３０）に突起（８）を設け、図６、（ｂ）では、図６、（ａ）で設定した浮蓋（４）の位置から時計回りに９０度移動さすことにより形成片（１４）の上方向への移動角度を変更することができる。この実施例でも充填される内容物の粘度に合わせて傾斜角度を調整することができ一定の使用感を保つことができる。【００２５】  図７は、本発明のポンプ付き容器の概略図で、詰め替え時にキャップ（３）をはずし、手動式ポンプ（１）とストロー（５）を引き出す際、ストロー（５）に残ったクリーム状内容物（１２）が溜まり部（７）に収納され、液だれによる浮蓋（４）の汚れを防いでいる状況をしめすと共に溜まり部（７）は、必要に応じて上下移動し容器本体（１１）の底部（１６）との隙間を調節しくぼみの発生の予防にも役立っている。
【図面の簡単な説明】
【００２６】
【図１】（ａ）〜（ｅ）この発明にかかる容器の構成例を示す図（ａ）は手動式ポンプ、（ｂ）はキャップ、（ｃ）は浮蓋、（ｄ）はストロー、（ｅ）はボトル部
【図２】（ａ）〜（ｃ）浮蓋の位置関係と形状変化を示す断面図
【図３】（ａ）〜（ｃ）他の実施例による浮蓋の位置関係と形状変化を示す断面図
【図４】（ａ）・（ｂ）バネ部の撓みの反発力の調整方法を示す浮蓋の底面図
【図５】（ａ）・（ｂ）（ａ）移動式の突起を設定した際の浮蓋の底面図（ｂ）突起の側面図
【図６】（ａ）・（ｂ）角型の容器の実施例を示す図
【図７】詰め替え作業時の概略図
【符号の説明】
【００２７】１    手動式ポンプ
２    中栓
３    キャップ
４    浮蓋
５    ストロー
６    ボトル部
７    溜まり部
８    突起
９    ヒンジ式連結部
１０  バネ部
１１  容器本体
１２  クリーム状内容物
１３  吸い上げ口
１４  形成片
１５  板状片部
１６  底部
２０  空気
２１  取り出し口
２２  挟み穴
２３  挟み突起
２４  隙間
２５  空気の層
３０  内側壁面
【図１】
2008189380.tif 000003
【図２】
2008189380.tif 000004
【図３】
2008189380.tif 000005
【図４】
2008189380.tif 000006
【図５】
2008189380.tif 000007
【図６】
2008189380.tif 000008
【図７】
2008189380.tif 000009
【手続補正書】
【提出日】平成19年3月31日(2007.3.31)
【手続補正１】
【補正対象書類名】特許請求の範囲
【補正対象項目名】請求項９
【補正方法】追加
【補正の内容】
【請求項９】
上記浮蓋（４）に、中心部から垂直方向に伸びる筒状の溜まり部（７）を着脱式に設けたことを特徴とする、請求項１に記載のポンプ付き容器。
【手続補正２】
【補正対象書類名】明細書
【補正対象項目名】００２５
【補正方法】変更
【補正の内容】
【００２５】    図７は、本発明の一実施例を示す一部断面図である。クリーム状内容物１２がボトル部６に充填され、キャップ３が装着された際に浮蓋４は最上部に位置し、運搬時等で横積みされた場合にも溜まり部７がキャップ３の上部内壁面に遮られ、傾斜することなく浮蓋４と容器本体１１のボトル部６の内壁との隙間が大きくなり、隙間からクリーム状内容物１２が流れ出ることはない。また、この実施例では、ストロー５の最先端部にはアンダーカット３１が設けられ、詰替え時にはストロー５から浮蓋４が抜け落ちることなく引き上げることができる。さらに、この実施例では、浮蓋４の溜まり部７は着脱可能に組み込まれ、板状片部１５は形成片１４の下部に位置している。
【手続補正３】
【補正対象書類名】明細書
【補正対象項目名】００２６
【補正方法】変更
【補正の内容】
【００２６】
【図１】（ａ）〜（ｅ）この発明にかかる容器の構成例を示す図（ａ）は手動式ポンプ、（ｂ）はキャップ、（ｃ）は浮蓋、（ｄ）はストロー、（ｅ）はボトル部
【図２】（ａ）〜（ｃ）浮蓋の位置関係と形状変化を示す断面図
【図３】（ａ）〜（ｃ）他の実施例による浮蓋の位置関係と形状変化を示す断面図
【図４】（ａ）・（ｂ）バネ部の撓みの反発力の調整方法を示す浮蓋の底面図
【図５】（ａ）・（ｂ）（ａ）移動式の突起を設定した際の浮蓋の底面図（ｂ）突起の側面図
【図６】（ａ）・（ｂ）角型の容器の実施例を示す図
【図７】この発明にかかる容器の一実施例を示す一部断面図
【手続補正４】
【補正対象書類名】明細書
【補正対象項目名】００２７
【補正方法】変更
【補正の内容】
【００２７】１    手動式ポンプ
２    中栓
３    キャップ
４    浮蓋
５    ストロー
６    ボトル部
７    溜まり部
８    突起
９    ヒンジ式連結部
１０  バネ部
１１  容器本体
１２  クリーム状内容物
１３  吸い上げ口
１４  形成片
１５  板状片部
１６  底部
２０  空気
２１  取り出し口
２２  挟み穴
２３  挟み突起
２４  隙間
２５  空気の層
３０  内側壁面
３１  アンダーカット
【手続補正５】
【補正対象書類名】図面
【補正対象項目名】図１
【補正方法】変更
【補正の内容】
【図１】
2008189380.tif 000010
【手続補正６】
【補正対象書類名】図面
【補正対象項目名】図７
【補正方法】変更
【補正の内容】
【図７】
2008189380.tif 000011
【手続補正書】
【提出日】平成19年6月7日(2007.6.7)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
クリーム状内容物（１２）を収納するボトル部（６）と、キャップ（３）からなる容器本体（１１）であって、
前記ボトル部（６）は上部開放形であり、その上部にはキャップ（３）が設けられており、
前記キャップ（３）には、ボトル部（６）に収容したクリーム状内容物（１２）を吸い上げ、外部に供出する手動式ポンプ（１）が設けられており、
その手動式ポンプ（１）には、容器本体（１１）の底部（１６）近くまで達するストロー（５）が設けられており、
そのストロー（５）には、昇降可能に挿通され、クリーム状内容物（１２）の上面に装着される浮蓋（４）が設けられており、
前記浮蓋（４）がクリーム状内容物（１２）に密着し残量変化と共に移動するポンプ付き容器において、
前記浮蓋（４）に水平方向から９０度上方への移動を可能にした形成片（１４）を備えたことを特徴とするポンプ付き容器。
【請求項２】
上記形成片（１４）を水平方向位置状態で保持するバネ部（１０）を浮蓋（４）に設けたことを特徴とする、請求項１に記載のポンプ付き容器。
【請求項３】
上記形成片（１４）の９０度上方への移動角度を設定する突起（８）を浮蓋（４）に設けたことを特徴とする、請求項１に記載のポンプ付き容器。
【請求項４】
上記形成片（１４）の９０度上方への移動角度を設定する突起（８）を容器本体（１１）の内側壁面（３０）に設けたことを特徴とする、請求項１に記載のポンプ付き容器。
【請求項５】
上記形成片（１４）の９０度上方への移動角度を設定する突起（８）を容器本体（１１）の底部（１６）に設けたことを特徴とする、請求項１に記載のポンプ付き容器。
【請求項６】
上記浮蓋（４）に中心部から垂直方向に伸びる筒状の溜まり部（７）を設けたことを特徴とする、請求項１に記載のポンプ付き容器。
【請求項７】
キャップ（４）の装着方法が嵌合式であることを特徴とする、請求項１に記載のポンプ付き容器。
【請求項８】
キャップ（４）の装着方法がネジ式であることを特徴とする、請求項１に記載のポンプ付き容器。
【請求項９】
上記浮蓋（４）に、中心部から垂直方向に伸びる筒状の溜まり部（７）を着脱式に設けたことを特徴とする、請求項１に記載のポンプ付き容器。